(57)【要約】【課題】火災感知器及びスプリンクラーヘッドを接続可能に構成し、省配線化が図れる住宅情報盤及び防災監視システムを提供する。【解決手段】火災感知器３又はスプリンクラーヘッド８の設置を設定する設定スイッチ１６と、複数の入力端子と、火災警報制御部とを備え、火災警報制御部は、設定スイッチ１６の設定により、火災感知器３のシステムとして機能し、入力端子の入力信号を火災検知信号、トイレコール信号及びバスコール信号として取り込み、又は、スプリンクラーヘッド８のシステムとして機能し、入力端子の入力信号を火災検知信号、スプリンクラー放出信号及びスプリンクラー点検信号として取り込む住宅情報盤であり、これを備えた防災監視システムである。【選択図】　　　　図１
2004118804.tif 000002
【特許請求の範囲】
【請求項１】
共同住戸の各住戸にそれぞれ設置される住宅情報盤において、
自住戸に火災感知器またはスプリンクラーヘッドのいずれかが設置されているかを設定する設定スイッチと、
前記火災感知器またはスプリンクラーヘッドからの信号を含む各種信号が入力される複数の入力端子と、
火災警報を制御する火災警報制御部とを備え、
該火災警報制御部は、前記設定スイッチの設定により、前記火災感知器が接続されたシステムとして機能し、前記入力端子の入力信号を前記火災感知器による火災検知信号、トイレコール信号およびバスコール信号として取り込み、または、前記スプリンクラーヘッドが接続されたシステムとして機能し、前記入力端子の入力信号を前記スプリンクラーヘッドによる火災検知信号、スプリンクラー放出信号およびスプリンクラー点検信号として取り込むことを特徴とする住宅情報盤。
【請求項２】
請求項１に記載の住宅情報盤を有し、
共同住宅の各住戸内にそれぞれ設置された火災感知器またはスプリンクラーヘッドと、
前記スプリンクラーヘッドが設置された各住戸にそれぞれ設置され該スプリンクラーヘッドおよび前記住宅情報盤の各入力端子に接続された流水検知装置と、
前記火災感知器が設置された各住戸のトイレおよびバスにそれぞれ設置され前記住宅情報盤の入力端子にそれぞれ接続されたトイレコールボタンおよびバスコールボタンと、
前記各住戸の住宅情報盤に接続され、該各住戸、管理室および共同玄関における通話および火災警報を制御する複合盤とを備えてなり、
前記住宅情報盤の設定スイッチが前記スプリンクラーヘッドの設置側に設定されているときに、前記住宅情報盤の火災警報制御部は、前記スプリンクラーヘッドが接続されたシステムとして機能し、前記住宅情報盤の各入力端子のそれぞれの入力信号を前記スプリンクラーヘッドによる火災検知信号、スプリンクラー放出信号およびスプリンクラー点検信号として取り込むとともに、前記複合盤は、前記住宅情報盤からの各入力信号を前記スプリンクラーヘッドによる火災検知信号、スプリンクラー放出信号およびスプリンクラー点検信号としてそれぞれ読み替えて取り込むことを特徴とする防災監視システム。
【請求項３】
住宅情報盤の設定スイッチが前記火災感知器の設置側に設定されているときに、前記住宅情報盤の火災警報制御部は、前記火災感知器が接続されたシステムとして機能し、前記住宅情報盤の各入力端子のそれぞれの入力信号を前記火災感知器による火災検知信号、トイレコール信号およびバスコール信号として取り込むとともに、前記複合盤は、前記住宅情報盤からの各入力信号を前記火災感知器による火災検知信号、トイレコール信号およびバスコール信号として取り込むことを特徴とする請求項２記載の防災監視システム。
【請求項４】
複合盤に、スプリンクラーヘッドの設置階以上を設定する設定手段を設け、前記複合盤は、前記設定手段の設定情報に基づいて各入力信号を送信した住宅情報盤の住戸階がスプリンクラーヘッドの設置階以上であったときに、前記各入力信号を前記スプリンクラーヘッドによる火災検知信号、スプリンクラー放出信号およびスプリンクラー点検信号としてそれぞれ読み替ることを特徴とする請求項２または３に記載の防災監視システム。
【請求項５】
共同住宅の各住戸にそれぞれ設置された住宅情報盤と、該各住宅情報盤と通信制御線を介して接続されている複合盤とからなる防災監視システムにおいて、
前記住宅情報盤は、火災感知器の火災信号、または、スプリンクラーヘッドの動作に基づくスプリンクラー放出信号のいずれかが入力される第１の入力端子と、トイレコールボタンあるいはバスコールボタンのいずれかのコール信号、または、前記スプリンクラー放出信号あるいはスプリンクラー点検信号のいずれかの信号が入力される第２の入力端子と、前記第１の入力端子および第２の入力端子の状態を伝送信号として前記通信制御線を介して前記複合盤に送信する信号送出手段とを備えるとともに、
前記複合盤は、スプリンクラーヘッドの設置住戸を特定する設定手段と、前記各住宅情報盤が送信した前記伝送信号を受信する信号受信手段と、前記第１の入力端子および第２の入力端子の状態によって警報制御動作を行う警報手段とを備え、
前記警報手段は、前記第２の入力端子に入力がありかつその入力の状態の伝送信号を前記信号受信手段が受信したときに、前記設定手段の設定住戸を参照し、前記伝送信号が前記スプリンクラーヘッドの設置住戸から送信された場合に前記スプリンクラー放出信号あるいはスプリンクラー点検信号のいずれかの信号と認識し、また、前記伝送信号が前記スプリンクラーヘッドの設置住戸でない住戸から送信された場合に前記トイレコールボタンあるいはバスコールボタンのいずれかのコール信号と認識して、該認識した信号に基づいて警報制御動作を行うことを特徴とする防災監視システム。
【発明の詳細な説明】
【０００１】
【発明の属する技術分野】
本発明は、高層マンション等の共同住宅の各住戸内、特に上層階（例えば１１階）以上の各住戸内に設置されたスプリンクラーヘッドの動作等を制御する共同住宅用スプリンクラー設備を、スプリンクラーヘッドが設置されていない住戸と同一の住宅情報盤と、例えば管理室に設置された共同住宅用火災報知設備を制御する住棟受信機の機能および共同住宅インターホン通話設備を制御する通話制御盤の機能等を含む複合盤とにより制御および監視する防災監視システムに関するものである。
【０００２】
【従来の技術】
近年のマンション等の共同住宅には、火災の発生を監視し、火災が発生した場合はその火災を報知する共同住宅用火災報知設備（以下、「火災報知設備」という）が設けられている。このような火災報知設備は、図７に示すように、共同住宅の管理室等に設置され火災報知設備全体を制御する住棟受信機４１と、各住戸内に設置される住宅情報盤４２および火災感知器４３と、各住戸の玄関先に設置されインターホン通話機能を有するドアホン４４とを備えている。
【０００３】
また、消防車のハシゴが届かない高層マンションには、消火区画を住戸単位とするための共同住宅用スプリンクラー設備（以下、「スプリンクラー設備」という）が設けられている。このスプリンクラー設備は、図７に示すように、スプリンクラー設備全体を制御する住棟受信機４１と、各住戸内に設置される住宅情報盤４２Ａおよびスプリンクラーヘッド４７と、各住戸の玄関先に設置されインターホン通話機能を有するドアホン４４と、各住戸の戸外に設けられ、例えば地下または屋上等に設置された貯水槽４８と、貯水槽４８からの主消火配管４９から各階に分岐されさらに各住戸に分岐されてスプリンクラーヘッド４７に接続された分岐管５０に設けられた流水検知装置５１と、貯水槽４８の消火用水を汲み上げるポンプ５２を制御する消火用ポンプ制御盤５３とを備えている。
【０００４】
なお、４５は住棟受信機４１とともに管理室等に設置された通話制御盤で、共同住宅の例えば１階に設けられた共同玄関のドアの近傍に設置された共同玄関機４６と、各住戸の住宅情報盤４２，４２Ａ（各住戸のドアホン４４を介する）とに接続され、共同玄関、各住戸および管理室の通話等のインターホン通話設備を制御している。そして、住棟受信機４１等を備えた火災報知設備と、通話制御盤４５等を備えたインターホン通話設備と、スプリンクラーヘッド４７および流水検知装置５１等を備えたスプリンクラー設備とともに、共同住宅システム４０を構成している。
【０００５】
このように構成された共同住宅システム４０を有する共同住宅において、火災感知器４３が設置された住戸の場合、各住戸に設置された火災感知器４３が火災を感知すると、その旨の信号がドアホン４４を介して住宅情報盤４２に送られ、この信号を受信した住宅情報盤４２は、住人に対して火災感知器４３が作動した旨を報知し、住人が火災を確認して住宅情報盤４２の確定スイッチを操作すると、住宅情報盤４２から火災確定信号が住棟受信機４１に出力され、住棟受信機４１は共同住宅内に火災警報を発動するようになっている。
【０００６】
また、１１階以上のスプリンクラーヘッド４７が設置された住戸の場合、スプリンクラーヘッド４７が火災を感知して放水を開始すると、流水検知装置５１が分岐管５０等の配管に流れる水を検知してその旨の信号を住棟受信機４１に送信し、住棟受信機４１は消火用ポンプ制御盤５３を介してポンプ５２を駆動させるとともに、火災が発生した階および直上階の各住戸の住宅情報盤４２Ａに火災警報を発動する。また、流水検知装置５１の流水検知信号は住宅情報盤４２Ａにも送信され、その信号を受信した住宅情報盤４２Ａは、住戸内に火災警報を発動する（例えば、特許文献１参照）。
【０００７】
【特許文献１】
特開平６−１０５９２８号公報
【０００８】
【発明が解決しようとする課題】
上記のような従来の共同住宅システム４０は、スプリンクラーヘッド４７が設置された住戸から火災が発生した場合、スプリンクラーヘッド４７が火災を感知して放水を開始すると、流水検知装置５１が流水を検知して住棟受信機４１に流水検知信号を送信する。しかしながら、流水検知装置５１から住棟受信機４１に送信される流水検知信号の信号ライン、つまり制御線Ｌ４１，Ｌ５１は、各階毎に設けられているため、多配線で複雑になってしまうとともに、住棟受信機４１ではどの階で火災が発生したかを検知することはできる（制御線毎に検知できる）ものの、どの住戸から火災が発生したかを検知することができないという問題があった。また、どの住戸から火災が発生したかを検知する場合には、制御線の配線を各住戸に対してそれぞれ行わなければならないため、さらに多配線になってしまうという問題があった。さらに、スプリンクラーヘッド４７が設置された１１階以上の各住戸において、火災感知器４３が設置された１０階以下の各住戸の住宅情報盤４２を使用しようとすると、火災感知器４３が作動した場合の信号を送受信する端子の他にスプリンクラーヘッド４７が作動した場合の信号を送受信する専用端子が必要となり、住宅情報盤４２の構造が複雑になってしまうという問題があった。
【０００９】
本発明は、上記のような課題を解決するためになされたもので、火災感知器が接続可能な住宅情報盤にスプリンクラーヘッドも接続可能に構成し、省配線化が図れて住戸単位での作動を認識することのできる住宅情報盤および防災監視システムを得ることを目的としたものである。
【００１０】
【課題を解決するための手段】
本発明に係る住宅情報盤は、共同住戸の各住戸にそれぞれ設置される住宅情報盤において、自住戸に火災感知器またはスプリンクラーヘッドのいずれかが設置されているかを設定する設定スイッチと、火災感知器またはスプリンクラーヘッドからの信号を含む各種信号が入力される複数の入力端子と、火災警報を制御する火災警報制御部とを備え、火災警報制御部は、設定スイッチの設定により、火災感知器が接続されたシステムとして機能し、入力端子の入力信号を火災感知器による火災検知信号、トイレコール信号およびバスコール信号として取り込み、または、スプリンクラーヘッドが接続されたシステムとして機能し、入力端子の入力信号をスプリンクラーヘッドによる火災検知信号、スプリンクラー放出信号およびスプリンクラー点検信号として取り込むものである。
【００１１】
本発明に係る防災監視システムは、上記住宅情報盤を有し、共同住宅の各住戸内にそれぞれ設置された火災感知器またはスプリンクラーヘッドと、スプリンクラーヘッドが設置された各住戸にそれぞれ設置されスプリンクラーヘッドおよび住宅情報盤の各入力端子に接続された流水検知装置と、火災感知器が設置された各住戸のトイレおよびバスにそれぞれ設置され住宅情報盤の入力端子にそれぞれ接続されたトイレコールボタンおよびバスコールボタンと、各住戸の住宅情報盤に接続され、各住戸、管理室および共同玄関における通話および火災警報を制御する複合盤とを備えてなり、住宅情報盤の設定スイッチがスプリンクラーヘッドの設置側に設定されているときに、住宅情報盤の火災警報制御部は、スプリンクラーヘッドが接続されたシステムとして機能し、住宅情報盤の各入力端子のそれぞれの入力信号をスプリンクラーヘッドによる火災検知信号、スプリンクラー放出信号およびスプリンクラー点検信号として取り込むとともに、複合盤は、住宅情報盤からの各入力信号をスプリンクラーヘッドによる火災検知信号、スプリンクラー放出信号およびスプリンクラー点検信号としてそれぞれ読み替えて取り込むものである。
【００１２】
本発明に係る防災監視システムは、住宅情報盤の設定スイッチが火災感知器の設置側に設定されているときに、住宅情報盤の火災警報制御部は、火災感知器が接続されたシステムとして機能し、住宅情報盤の各入力端子のそれぞれの入力信号を火災感知器による火災検知信号、トイレコール信号およびバスコール信号として取り込むとともに、複合盤は、住宅情報盤からの各入力信号を火災感知器による火災検知信号、トイレコール信号およびバスコール信号として取り込むものである。
【００１３】
本発明に係る防災監視システムは、複合盤に、スプリンクラーヘッドの設置階以上を設定する設定手段を設け、複合盤は、設定手段の設定情報に基づいて各入力信号を送信した住宅情報盤の住戸階がスプリンクラーヘッドの設置階以上であったときに、各入力信号をスプリンクラーヘッドによる火災検知信号、スプリンクラー放出信号およびスプリンクラー点検信号としてそれぞれ読み替るものである。
【００１４】
本発明に係る防災監視システムは、共同住宅の各住戸にそれぞれ設置された住宅情報盤と、各住宅情報盤と通信制御線を介して接続されている複合盤とからなる防災監視システムにおいて、住宅情報盤は、火災感知器の火災信号、または、スプリンクラーヘッドの動作に基づくスプリンクラー放出信号のいずれかが入力される第１の入力端子と、トイレコールボタンあるいはバスコールボタンのいずれかのコール信号、または、スプリンクラー放出信号あるいはスプリンクラー点検信号のいずれかの信号が入力される第２の入力端子と、第１の入力端子および第２の入力端子の状態を伝送信号として通信制御線を介して複合盤に送信する信号送出手段とを備えるとともに、複合盤は、スプリンクラーヘッドの設置住戸を特定する設定手段と、各住宅情報盤が送信した伝送信号を受信する信号受信手段と、第１の入力端子および第２の入力端子の状態によって警報制御動作を行う警報手段とを備え、警報手段は、第２の入力端子に入力がありかつその入力の状態の伝送信号を信号受信手段が受信したときに、設定手段の設定住戸を参照し、伝送信号がスプリンクラーヘッドの設置住戸から送信された場合にスプリンクラー放出信号あるいはスプリンクラー点検信号のいずれかの信号と認識し、また、伝送信号がスプリンクラーヘッドの設置住戸でない住戸から送信された場合にトイレコールボタンあるいはバスコールボタンのいずれかのコール信号と認識して、認識した信号に基づいて警報制御動作を行うものである。
【００１５】
【発明の実施の形態】
図１は本発明が適用される共同住宅システムの構成を示す系統図、図２は本発明の実施の形態の要部のブロック図である。図において、１は共同住宅の各住戸に設けられた住宅情報盤で、共同玄関のドアを解錠させる機能と、自住戸の玄関先のドアホン２、共同玄関および管理室における通話機能と、自住戸内の火災感知器３、または自住戸内のスプリンクラーヘッド８に接続されて自住戸の玄関先等に設置された流水検知装置９等に基づく火災、ガス漏れおよび防犯等の警報機能等とを備えている。そして、火災感知器３または流水検知装置９のいずれか、ドアホン２および後述する複合盤に通信制御線Ｌ１，Ｌ２，Ｌ３，Ｌ７，Ｌ８を介して接続されている。
【００１６】
４は例えば管理室に設置された複合盤で、共同玄関のドアを解錠させる機能、各住戸、管理室および共同玄関における通話および通信の制御機能等を備えたインターホン通話設備と、各住戸における火災、ガス漏れおよび防犯等の警報機能、各住戸の火災感知器３の遠隔試験制御機能等を備えた火災報知設備と、各住戸内に設置されたスプリンクラーヘッド８による火災警報機能、スプリンクラーヘッド８への消火用水の供給制御機能等を備えたスプリンクラー設備とが複合されていて、各住戸の住宅情報盤１、共同玄関に設けられた共同玄関機５、共同住宅の共有部６および後述する消火用ポンプ制御盤に通信制御線Ｌ１，Ｌ４，Ｌ５，Ｌ６を介して接続されている。
【００１７】
また、住宅情報盤１および複合盤４等は、通常、常用電源（図示せず）から電源を得ているが、常用電源から電源供給が絶たれた際には非常電源７から電源を得るようになっている。そして、これらにより共同住宅における共同住宅システム３０が構成されている。なお、通信制御線Ｌ１〜Ｌ７は、解錠時の信号および警報時の信号などの制御信号が送受信される制御線と、ドアホン、共同玄関および管理室における通話時の信号および警報時の信号などの音声信号が送受信される通話線を含む。
【００１８】
住宅情報盤１は、図１および図２に示すように、複合盤４との通信信号を送受信する通信部１１と、火災感知器３または流水検知装置９に接続されたスプリンクラーヘッド８が作動した時の信号と後述する設定スイッチの設定とに基づいて、火災感知器３が接続されている場合のシステムまたはスプリンクラーヘッド８が接続されている場合のシステムとして火災を警報する火災警報制御部１２と、火災感知器３またはスプリンクラーヘッド８の作動時の信号が入力されるＣ，Ｌ端子１３と、トイレおよびバスにそれぞれ設置されたトイレコールボタン２５ａおよびバスコールボタン２５ｂが押された場合にそれぞれの信号が入力されるＣ１端子１４およびＣ２端子１５と、スプリンクラーヘッド８が設置されているかいないかを設定するＤＩＰスイッチの如き設定スイッチ１６とを備えている。そして、例えば１１階以上のスプリンクラーヘッド８が設置された住戸の場合は、設定スイッチ１６をＯＮ状態に設定し、トイレコールボタン２５ａからの信号が入力されるＣ１端子１４に流水検知装置９からのスプリンクラーヘッド８の放出信号（流水検知信号）を入力させるとともに、バスコールボタン２５ｂからの信号が入力されるＣ２端子１５に流水検知装置９からのスプリンクラーヘッド８の点検信号を入力させる。
【００１９】
なお、１１階以上の各住戸は、トイレおよびバスにそれぞれ設置されるトイレコールボタン２５ａおよびバスコールボタン２５ｂが省略され、設定スイッチ１６の入力は火災監視を行う前に設定しておく。また、１０階以下の各住戸は、トイレおよびバスにトイレコールボタン２５ａおよびバスコールボタン２５ｂがそれぞれ設置され、各ボタン２５ａ，２５ｂが押されると、Ｃ１端子１４にトイレコール信号が入力され、Ｃ２端子１５にバスコール信号が入力される。また、トイレコールボタン２５ａおよびバスコールボタン２５ｂは、詳細に示さない非常ボタン（図示せず）の入力として統合させることも可能である。
【００２０】
流水検知装置９は、図１および図２に示すように、例えば地下または屋上等に設置された貯水槽２８からの主消火配管２９から各階に分岐されさらに各住戸に分岐されてスプリンクラーヘッド８に接続された分岐管１７に設けられており、スプリンクラーヘッド８が放水した場合に分岐管１７を流れる水を検知するフローデテクタ９１と、分岐管１７の開閉を手動で行うための制御弁（常時開）９２と、フローデテクタ９１の動作点検を行う場合の試験排水弁（常時閉）９３と、試験排水弁９３が操作されて開放された場合にその開放を検出するリミットスイッチ９４と、試験排水の流量をスプリンクラーヘッド８の１個分とするためのオリフィス９５とを備えている。
【００２１】
複合盤４は、図１および図２に示すように、例えばＬＣＤからなる表示部１８と、表示部１８の画面に表示された操作キーおよび表示部１８の近傍に設けられた操作キー等からなり、例えばスプリンクラーヘッド８が設置された住戸が何階以上であるかを操作する操作部１９と、操作部１９の操作に基づいてスプリンクラーヘッド８が何階以上に設けられているかを設定して記憶部２０に記憶させる設定部２１と、住宅情報盤１との通信信号を送受信し、通信信号が送られてきた住宅情報盤１の住戸がスプリンクラー設置階以上のときに、住宅情報盤１からの各信号をそれぞれ火災検知信号、スプリンクラー放出信号およびスプリンクラー点検信号に読み替えて取り込む通信制御部２２と、設定部２１の設定に基づいて表示部１８への表示を制御するとともに、通信制御部２２の通信信号に基づいて表示部１８への表示を制御する表示制御部２３と、火災発生時および火災感知器３またはスプリンクラー設備の点検時の警報音および報知音を出力する火災警報部２４とを備えている。また、複合盤４は、住宅情報盤１からのスプリンクラーヘッド８の放出信号（流水検知信号、読替後は火災検知信号）に基づいて、貯水槽２８の消火用水を汲み上げるポンプ２７を制御する消火用ポンプ制御盤２６にポンプ駆動信号を送信し、スプリンクラーヘッド８側へ水を供給する。なお、スプリンクラーヘッド８が何階以上に設けられているかを設定して記憶部２０に記憶させる操作は、火災監視を行う前に設定しておく。
【００２２】
そして、住宅情報盤１、火災感知器３またはスプリンクラーヘッド８、流水検知装置９および複合盤４により、火災報知設備およびスプリンクラー設備を備えた防災監視システムが構成される。
【００２３】
次に、このように構成された共同住宅システム３０における防災監視システムの作用について、図３のフローチャートを用いて説明する。
まず、火災感知器３が設置されている１０階以下の各住戸の場合、通常、火災感知器３により火災発生の監視を行っており、ある住戸に設置された火災感知器３が火災を感知すると、その旨の信号が自住戸の住宅情報盤１のＣ，Ｌ端子１３に送られ、この信号を受信した住宅情報盤１は、設定スイッチ１６の設定により、火災感知器３が接続されたシステムとしてＣ，Ｌ端子１３に入力された信号を火災検知信号として取り込み、火災警報制御部１２により住宅情報盤１およびドアホン２に設けられた火災灯を点滅させるとともに、住宅情報盤１およびドアホン２に設けられたスピーカにより火災の旨の音声を出力し、住人および同階の住人に対して火災警報を行う。そして、住宅情報盤１は、通信部１１により複合盤４に住戸番号を付加して火災検知信号を送信する。
【００２４】
複合盤４は、通信制御部２２によって住戸番号および火災検知信号を受信すると、記憶部２０に記憶されているスプリンクラーヘッド８が何階以上に設けられているかの情報に基づいて、信号が送られてきた住宅情報盤１が設置された住戸がスプリンクラー設置階以上の住戸であるかを受信した住戸番号から判定し、その階未満の住戸であればスプリンクラー設置階以上の住戸でないので、火災検知信号をそのままの信号として取り込み、表示制御部２３を介して表示部１８に火災感知器３により感知した火災発生住戸番号および火災発生を示す表示を行うとともに、通信制御部２２により火災発生階および直上階の各住戸の住宅情報盤１に火災発生信号を送信し、図示しない火災灯の点滅および火災の旨の音声の出力を行なわせる。
【００２５】
また、火災感知器３が設置されている１０階以下の各住戸の場合において、トイレに設置されたトイレコールボタン２５ａが操作されると、住宅情報盤１のＣ１端子１４にトイレコール信号が入力される。ついで、住宅情報盤１は、設定スイッチ１６の設定により、火災感知器３が接続されたシステムとしてＣ１端子１４に入力された信号をトイレコール信号としてそのまま取り込み、火災警報制御部１２により住宅情報盤１に設けられた図示しないコール灯を点滅させるとともに、図示しないスピーカよりトイレコールの旨の音声を出力し、住人に対してトイレコール警報を行う。そして、住宅情報盤１は通信部１１により複合盤４にトイレコール信号としてのＣ１端子１４の入力信号を住戸番号とともに送信する。
【００２６】
複合盤４は、通信制御部２２よりＣ１端子１４の入力信号および住戸番号を受信すると、記憶部２０に記憶されているスプリンクラーヘッド８が何階以上に設けられているかの情報に基づいて、信号が送られてきた住宅情報盤１が設置された住戸がスプリンクラー設置階以上の住戸であるかを受信した住戸番号から判定し、その階未満の住戸であればスプリンクラー設置階以上の住戸でないので、トイレコール信号としてのＣ１端子１４の入力信号をそのままの信号として取り込み、表示制御部２３を介して表示部１８にトイレコールが発生した住戸番号およびトイレコールを示す表示を行う。なお、バスコールボタン２５ｂが操作された場合も同様である。
【００２７】
次に、スプリンクラーヘッド８が設置されている１１階以上の各住戸の場合、通常、スプリンクラーヘッド８により火災発生の監視を行っている火災監視モードの共同住宅システム３０において（図３のＳ１）、ある住戸から火災が発生し、その住戸のスプリンクラーヘッド８が熱開放して放水を開始すると、流水検知装置９のフローデテクタ９１が分岐管１７内の流水を検知し、流水検知信号を住宅情報盤１のＣ，Ｌ端子１３およびＣ１端子１４に出力する。住宅情報盤１は、Ｃ，Ｌ端子１３およびＣ１端子１４に信号入力があると（Ｓ２，Ｓ３）、火災警報制御部１２により設定スイッチ１６がＯＮ状態（スプリンクラーヘッド８が設けられている状態）であるかを判定し（Ｓ４）、ＯＮ状態である場合はスプリンクラーヘッド８が接続されたシステムとしてＣ，Ｌ端子１３およびＣ１端子１４の入力信号（流水検知信号）を火災検知信号およびスプリンクラー放出信号とし（Ｓ５）、住宅情報盤１およびドアホン２に設けられた火災灯を点滅させるとともに、住宅情報盤１およびドアホン２に設けられたスピーカによりスプリンクラー放出の旨の音声を出力し、住人および同階の住人に対して火災警報を行う（Ｓ６，Ｓ７）。そして、Ｃ１端子１４の入力信号をトイレコール信号として取り込まないため、火災警報制御部１２により通常のトイレコール警報を行わず（Ｓ８）、通信部１１により複合盤４にＣ，Ｌ端子１３およびＣ１端子１４の入力信号を住戸番号とともに送信する（Ｓ９）。
【００２８】
なお、ステップＳ３において、Ｃ１端子１４に信号入力がなかった場合は、火災感知器３が接続されている場合と同様の火災警報処理を行う（Ｓ１６）。また、ステップＳ４において、設定スイッチ１６がＯＦＦ状態（スプリンクラーヘッド８が設けられていない状態）であると判定した場合は、住宅情報盤１を火災感知器３が接続されたシステムとして通常のトイレコール警報処理および火災警報処理を行う（Ｓ１５，Ｓ１６）。
【００２９】
次に、複合盤４は、通信制御部２２により住宅情報盤１からＣ，Ｌ端子１３およびＣ１端子１４の入力信号および住戸番号を受信すると、記憶部２０に記憶されているスプリンクラーヘッド８が何階以上に設けられているかの情報に基づいて、信号が送られてきた住宅情報盤１が設置された住戸がスプリンクラー設置階以上の住戸であるかを受信した住戸番号から判定し（Ｓ１０）、スプリンクラー設置階以上の住戸であれば、各信号をスプリンクラーヘッド８により感知した火災検知信号およびスプリンクラー放出信号として読み替えて取り込み（Ｓ１１）、図４に示すように、表示制御部２３を介して表示部１８に火災発生住戸番号および火災発生を示す表示と、スプリンクラーヘッド８が作動している住戸番号およびスプリンクラーヘッド８が作動（放出）したことを示す表示とを行うとともに（Ｓ１２，Ｓ１３）、火災警報部２４により火災警報音を出力させる（Ｓ１４）。なお、ステップＳ１０において、信号が送られてきた住宅情報盤１が設置された住戸がスプリンクラー設置階未満の住戸であると受信した住戸番号から判定した場合は、各信号をそのまま火災検知信号およびトイレコール信号として取り込み、通常のトイレコール警報処理および火災警報処理を行う（Ｓ１５，Ｓ１６）。
【００３０】
また、スプリンクラーヘッド８が設置されている１１階以上の各住戸で常時の火災発生の監視中に、スプリンクラー設備の機能点検のため、流水検知装置９の試験排水弁９３を手動等により操作すると、その試験排水弁９３の操作をリミットスイッチ９４が検出し、検出信号を住宅情報盤１のＣ２端子１５に出力する（Ｓ１，Ｓ２）。住宅情報盤１は、Ｃ２端子１５に信号入力があると（Ｓ１７）、火災警報処理部１２により流水検知装置９のフローデテクタ９１の流水検知信号がＣ１端子１４に入力されたかを判定し（Ｓ１８）、Ｃ１端子１４に信号入力がない場合は、設定スイッチ１６がＯＮ状態（スプリンクラーヘッド８が設けられている状態）であるかを判定する（Ｓ３０）。設定スイッチ１６がＯＮ状態のときは、スプリンクラーヘッド８が接続されたシステムとしてＣ２端子１５に入力された検出信号をスプリンクラー点検信号とし（Ｓ３１）、通常のバスコール警報を行わず（Ｓ３２）、通信部１１により複合盤４にＣ２端子１５の入力信号を住戸番号とともに送信する（Ｓ３３）。なお、ステップＳ３０において、設定スイッチ１６がＯＮ状態でないときは、火災感知器３が接続されたシステムとしてＣ２端子１５に入力された信号をバスコール信号とし、通常のバスコール警報処理を行う（Ｓ３８）。
【００３１】
複合盤４は、通信制御部２２により住宅情報盤１からのＣ２端子１５の入力信号および住戸番号を受信すると、記憶部２０に記憶されているスプリンクラーヘッド８が何階以上に設けられているかの情報に基づいて、信号が送られてきた住宅情報盤１が設置された住戸がスプリンクラー設置階以上の住戸であるかを受信した住戸番号から判定し（Ｓ３４）、スプリンクラー設置階以上の住戸であれば、信号をスプリンクラー点検信号に読み替えて取り込み（Ｓ３５）、図５に示すように、表示制御部２３を介して表示部１８にスプリンクラー設備を点検中の住戸番号および点検中を示す表示を行うとともに、火災警報部２４により点検報知音を出力させる（Ｓ３６，Ｓ３７）。なお、ステップＳ３４において、信号が送られてきた住宅情報盤１が設置された住戸がスプリンクラー設置階未満の住戸であると受信した住戸番号から判定したときは、信号をそのままバスコール信号として取り込み、通常のバスコール警報処理を行う（Ｓ３８）。
【００３２】
また、流水検知装置９の試験排水弁９３の操作後（Ｓ１，Ｓ２）、住宅情報盤１は、Ｃ２端子１５に信号入力があるとともに（Ｓ１７）、火災警報処理部１２により流水検知装置９のフローデテクタ９１の流水検知信号がＣ１端子１４に入力されたかを判定し（Ｓ１８）、Ｃ１端子１４に信号入力がある場合は、設定スイッチ１６がＯＮ状態（スプリンクラーヘッド８が設けられている状態）であるかを判定する（Ｓ１９）。
なお、フローデテクタ９１の流水検知信号がＣ１端子１４に入力されるとき、Ｃ，Ｌ端子１３にも流水検知信号が入力されるが、Ｃ２端子１５に検出信号がすでに出力されているため、住宅情報盤１はＣ，Ｌ端子１３の入力信号を受け付けない。これにより、スプリンクラー設備の点検による火災警報を行わない。
ついで、設定スイッチ１６がＯＮ状態であると、住宅情報盤１は、スプリンクラーヘッド８が接続されたシステムとして火災警報処理部１２によりＣ２端子１５に入力された検出信号をスプリンクラー点検信号とするとともに、Ｃ１端子１４に入力された流水検知信号をスプリンクラー放出信号とし（Ｓ２０，Ｓ２１）、通常のバスコール警報およびトイレコール警報を行わず（Ｓ２２，Ｓ２３）、通信部１１により複合盤４にＣ２端子１５およびＣ１端子１４の入力信号を住戸番号とともに送信する（Ｓ２４）。なお、ステップＳ１９において、設定スイッチ１６がＯＮ状態でないときは、火災感知器３が接続されたシステムとしてＣ１端子１４およびＣ２端子１５に入力された信号をトイレコール信号およびバスコール信号とし、通常のトイレコール警報処理およびバスコール警報処理を行う（Ｓ１５，Ｓ３８）。
【００３３】
複合盤４は、通信制御部２２により住宅情報盤１からのＣ２端子１５およびＣ１端子１４の入力信号および住戸番号を受信すると、記憶部２０に記憶されているスプリンクラーヘッド８が何階以上に設けられているかの情報に基づいて、信号が送られてきた住宅情報盤１が設置された住戸がスプリンクラー設定階以上の住戸であるかを受信した住戸番号から判定し（Ｓ２５）、スプリンクラー設定階以上の住戸であれば、各信号をスプリンクラー点検信号およびスプリンクラー放出信号に読み替えて取り込み（Ｓ２６，Ｓ２７）、図６に示すように、表示制御部２３を介して表示部１８にスプリンクラー設備を点検中の住戸番号およびスプリンクラーヘッド放出点検中を示す表示を行うとともに、火災警報部２４により点検報知音を出力させる（Ｓ２８，Ｓ２９）。なお、ステップＳ２５において、信号が送られてきた住宅情報盤１が設置された住戸がスプリンクラー設定階未満の住戸であると受信した住戸番号から判定したときは、信号をそのままトイレコール信号およびバスコール信号として取り込み、通常のトイレコール警報処理およびバスコール警報処理を行う（Ｓ１５，Ｓ３８）。
【００３４】
このように、火災感知器３またはスプリンクラーヘッド８が設置された各住戸において、その住宅情報盤１にスプリンクラーヘッド８が設置された住戸であるか否かを設定する設定スイッチ１６を設け、その設定スイッチ１６の設定により、火災警報処理部１２を火災感知器３が接続されたシステムとして機能させてＣ，Ｌ端子１３、Ｃ１端子１４およびＣ２端子１５に入力される信号を火災検知信号、トイレコール信号およびバスコール信号として取り込み、または、スプリンクラーヘッド８が接続されたシステムとして機能させてＣ，Ｌ端子１３、Ｃ１端子１４およびＣ２端子１５に入力される信号を火災検知信号、スプリンクラー放出信号およびスプリンクラー点検信号として取り込み、それぞれの信号に対応した動作を行うようにしたので、専用端子を設けることなく設定スイッチ１６の設定のみでスプリンクラーヘッド８が設置される住戸と設置されていない住戸とで同一の住宅情報盤１を使用することができ、各物件に対応した住宅情報盤１を得ることができる。
【００３５】
また、複合盤４では、スプリンクラーヘッド８の設置階以上を設定する設定部２１とそれを記憶する記憶部２０を設け、その記憶された情報に基づいて、住宅情報盤１からの信号を火災検知信号、トイレコール信号およびバスコール信号としてそのまま取り込み、または、火災検知信号、スプリンクラー放出信号およびスプリンクラー点検信号として読み替えて取り込み、それぞれの信号に対応した動作を行うようにしたので、住宅情報盤１と複合盤４との配線を省配線化することができるとともに、各物件に対応した防災監視システムを得ることができる。さらに、従来フロア単位でしか検知できなかったスプリンクラーヘッドの作動を住戸単位で検知することができ、火災発生および点検の住戸を複合盤４で容易に認識することができて、より正確に火災警報および点検等の出力を行うことができる防災監視システムを得ることができる。
【００３６】
なお、上述の実施の形態では、複合盤４において、スプリンクラーヘッドの設置住戸を特定する設定として、記憶部２０にスプリンクラーヘッド８が何階以上に設けられているか、つまりスプリンクラーヘッド８の設置階の最低階を設定して簡便に設定されている範囲を表しているが、その他の設定方式によって表すことも可能で、例えばスプリンクラーヘッド８が設定された全ての住戸番号を登録することで設定範囲を表すようにしてもよい。
【００３７】
【発明の効果】
以上のように本発明に係る住宅情報盤は、共同住戸の各住戸にそれぞれ設置される住宅情報盤において、自住戸に火災感知器またはスプリンクラーヘッドのいずれかが設置されているかを設定する設定スイッチと、火災感知器またはスプリンクラーヘッドからの信号を含む各種信号が入力される複数の入力端子と、火災警報を制御する火災警報制御部とを備え、火災警報制御部は、設定スイッチの設定により、火災感知器が接続されたシステムとして機能し、入力端子の入力信号を火災感知器による火災検知信号、トイレコール信号およびバスコール信号として取り込み、または、スプリンクラーヘッドが接続されたシステムとして機能し、入力端子の入力信号をスプリンクラーヘッドによる火災検知信号、スプリンクラー放出信号およびスプリンクラー点検信号として取り込むので、特別な構成にすることなく火災感知器およびスプリンクラーヘッドのいずれも接続可能な住宅情報盤を得ることができる。
【００３８】
本発明に係る防災監視システムは、上記住宅情報盤を有し、共同住宅の各住戸内にそれぞれ設置された火災感知器またはスプリンクラーヘッドと、スプリンクラーヘッドが設置された各住戸にそれぞれ設置されスプリンクラーヘッドおよび住宅情報盤の各入力端子に接続された流水検知装置と、火災感知器が設置された各住戸のトイレおよびバスにそれぞれ設置され住宅情報盤の入力端子にそれぞれ接続されたトイレコールボタンおよびバスコールボタンと、各住戸の住宅情報盤に接続され、各住戸、管理室および共同玄関における通話および火災警報を制御する複合盤とを備えてなり、住宅情報盤の設定スイッチがスプリンクラーヘッドの設置側に設定されているときに、住宅情報盤の火災警報制御部は、スプリンクラーヘッドが接続されたシステムとして機能し、住宅情報盤の各入力端子のそれぞれの入力信号をスプリンクラーヘッドによる火災検知信号、スプリンクラー放出信号およびスプリンクラー点検信号として取り込むとともに、複合盤は、住宅情報盤からの各入力信号をスプリンクラーヘッドによる火災検知信号、スプリンクラー放出信号およびスプリンクラー点検信号としてそれぞれ読み替えて取り込むので、火災感知器が接続可能な住宅情報盤にスプリンクラーヘッドを接続可能に構成でき、省配線化が図れて住戸単位での作動を認識することのできる防災監視システムを得ることができる。
【００３９】
本発明に係る防災監視システムは、住宅情報盤の設定スイッチが火災感知器の設置側に設定されているときに、住宅情報盤の火災警報制御部は、火災感知器が接続されたシステムとして機能し、住宅情報盤の各入力端子のそれぞれの入力信号を火災感知器による火災検知信号、トイレコール信号およびバスコール信号として取り込むとともに、複合盤は、住宅情報盤からの各入力信号を火災感知器による火災検知信号、トイレコール信号およびバスコール信号として取り込むので、スプリンクラーヘッドが接続可能な住宅情報盤に火災感知器を接続可能に構成でき、省配線化が図れて住戸単位での作動を認識することのできる防災監視システムを得ることができる。
【００４０】
本発明に係る防災監視システムは、複合盤に、スプリンクラーヘッドの設置階以上を設定する設定手段を設け、複合盤は、設定手段の設定情報に基づいて各入力信号を送信した住宅情報盤の住戸階がスプリンクラーヘッドの設置階以上であったときに、各入力信号をスプリンクラーヘッドによる火災検知信号、スプリンクラー放出信号およびスプリンクラー点検信号としてそれぞれ読み替るので、上記と同様の効果を得ることができる。
【００４１】
本発明に係る防災監視システムは、共同住宅の各住戸にそれぞれ設置された住宅情報盤と、各住宅情報盤と通信制御線を介して接続されている複合盤とからなる防災監視システムにおいて、住宅情報盤は、火災感知器の火災信号、または、スプリンクラーヘッドの動作に基づくスプリンクラー放出信号のいずれかが入力される第１の入力端子と、トイレコールボタンあるいはバスコールボタンのいずれかのコール信号、または、スプリンクラー放出信号あるいはスプリンクラー点検信号のいずれかの信号が入力される第２の入力端子と、第１の入力端子および第２の入力端子の状態を伝送信号として通信制御線を介して複合盤に送信する信号送出手段とを備えるとともに、複合盤は、スプリンクラーヘッドの設置住戸を特定する設定手段と、各住宅情報盤が送信した伝送信号を受信する信号受信手段と、第１の入力端子および第２の入力端子の状態によって警報制御動作を行う警報手段とを備え、警報手段は、第２の入力端子に入力がありかつその入力の状態の伝送信号を信号受信手段が受信したときに、設定手段の設定住戸を参照し、伝送信号がスプリンクラーヘッドの設置住戸から送信された場合にスプリンクラー放出信号あるいはスプリンクラー点検信号のいずれかの信号と認識し、また、伝送信号がスプリンクラーヘッドの設置住戸でない住戸から送信された場合にトイレコールボタンあるいはバスコールボタンのいずれかのコール信号と認識して、認識した信号に基づいて警報制御動作を行うので、上記と同様の効果を得ることができる。
【図面の簡単な説明】
【図１】本発明が適用される共同住宅システムの構成を示す系統図である。
【図２】本発明の実施の形態の要部のブロック図である。
【図３】本発明の実施の形態の作用を示すフローチャートである。
【図４】本発明の実施の形態に係る表示部の火災発生時の画面を示す図である。
【図５】本発明の実施の形態に係る表示部のスプリンクラー点検時の画面を示す図である。
【図６】本発明の実施の形態に係る表示部のスプリンクラー放出点検時の画面を示す図である。
【図７】従来の共同住宅システムの構成を示す系統図である。
【符号の説明】
１　住宅情報盤、３　火災感知器、４　複合盤、８　スプリンクラーヘッド、９　流水検知装置、１２　火災警報制御部、１３　Ｃ，Ｌ端子、１４　Ｃ１端子、１５　Ｃ２端子、１６　設定スイッチ、２１　設定部、２２　通信制御部、２５ａ　トイレコールボタン、２５ｂ　バスコールボタン。
【図１】
2004118804.tif 000003
【図２】
2004118804.tif 000004
【図３】
2004118804.tif 000005
【図４】
2004118804.tif 000006
【図５】
2004118804.tif 000007
【図６】
2004118804.tif 000008
【図７】
2004118804.tif 000009